(57)【要約】  強度性に優れ、かつ、構築される空間の設計自由度が高い技術を提供する。水平方向に延びる横梁体と、当該横梁体同士を結合する梁の結合部材とを含む構造体における水平ブレース構造であって、前記横梁体よりも上に設けられた水平ブレースを備え、前記水平ブレースは、前記梁の結合部材の上部と、前記横梁体の上側の溝部と、のうち少なくとも何れか一方に接続される。
2014132449.tif 000002
【特許請求の範囲】
【請求項１】
水平方向に延びる横梁体と、当該横梁体同士を結合する梁の結合部材とを含む構造体における水平ブレース構造であって、
前記横梁体よりも上に設けられた水平ブレースを備え、
前記水平ブレースは、前記梁の結合部材の上部と、前記横梁体の上側の溝部と、のうち少なくとも何れか一方に接続される、水平ブレース構造。
【請求項２】
前記水平ブレース構造は、前記梁の結合部材の上部に接続される水平ブレースの支持部材Ａと、前記横梁体の上側の溝部に接続される水平ブレースの支持部材Ｂと、のうち少なくとも何れか一方を更に備え、
前記水平ブレース支持部材Ａは、前記梁の結合部材の上部に接続される基部Ａと、前記基部Ａから立ち上げられた軸部Ａと、前記軸部Ａの先端に設けられ、前記水平ブレースの端部が接続されるブレース受部Ａとを有し、前記水平ブレースの支持部材Ｂは、前記横梁体の上側の溝部に挿入される基部Ｂと、前記基部Ｂから立ち上げられた軸部Ｂと、前記軸部Ｂの先端に設けられ、前記水平ブレースの端部が接続されるブレース受部Ｂとを有する、請求項１に記載の水平ブレース構造。
【請求項３】
前記水平ブレースの端部に接続される水平ブレースの接続部材を更に備え、
前記水平ブレースの接続部材は、前記ブレース受部Ａ又は前記ブレース受部Ｂへの固定向きを変更することで、交差する水平ブレースの高さ位置を変更自在である、請求項１又は２に記載の水平ブレース構造。
【請求項４】
水平方向に延びる横梁体と、当該横梁体同士を結合する梁の結合部材とを含む構造体における水平ブレースを支持する水平ブレースの支持部材Ａであって、
前記梁の結合部材の上部に接続される基部Ａと、前記基部Ａから立ち上げられた軸部Ａと、前記軸部Ａの先端に設けられ、前記水平ブレースの端部が接続されるブレース受部Ａと、を有する水平ブレースの支持部材Ａ。
【請求項５】
水平方向に延びる横梁体と、当該横梁体同士を結合する梁の結合部材とを含む構造体における水平ブレースを支持する水平ブレースの支持部材Ｂであって、
前記横梁体の上側の溝部に挿入される基部Ｂと、
前記基部Ｂから立ち上げられた軸部Ｂと、
前記軸部Ｂの先端に設けられ、前記水平ブレースの端部が接続されるブレース受部Ｂと、を有する水平ブレースの支持部材Ｂ。
【請求項６】
水平方向に延びる横梁体と、当該横梁体同士を結合する梁の結合部材とを含む構造体における水平ブレースの端部に接続される水平ブレースの接続部材であって、
前記水平ブレースの接続部材は、前記ブレース受部Ａ又は前記ブレース受部Ｂへの固定向きを変更することで、交差する水平ブレースの高さ位置を変更自在である、水平ブレースの接続部材。
【発明の詳細な説明】
【技術分野】
【０００１】
本発明は、水平ブレース構造、水平ブレースの支持部材、及び水平ブレースの接続部材に関する。
【背景技術】
【０００２】
矩形枠構造を補強する従来技術として、ブレース（筋かい）が知られている。ブレースは、両端部を例えば矩形枠構造の垂直面の対角線上の角部に接合することで矩形枠構造の強度を補うことができる。一方で、空間を構築する技術、特に建物内に新たな空間を構築するのに好適な技術が存在している（例えば、特許文献１を参照）。例えば、特許文献１には、たすき掛けで配置される１対のブレースと、ブレースの両端に接続されるブレース接続部材と、接続部材に接続されるとともに柱に固定されるブレース受部材と、を備え、ブレースは、両端に螺旋溝が形成された結合部を有し、ブレース受部材は、柱に固定されるベースプレートとベースプレートの上面に配置された２つのフックとを有し、ブレース接続部材は、ブレース受部材のフックに引っ掛ける引掛部と、ブレースの結合部と接続され、該結合部との接続長さによって前記ブレースの軸長さを調整可能である長さ調整部と、を有し、２つのフックは、ベースプレートの上面に所定の間隔で、かつそれぞれの開放部が同じ向きになるように並列に配置されていることを特徴とするブレース構造が開示されている。【０００３】
また、特許文献２には、柱状体と横梁体とを結合する結合装置が開示されている。この結合装置は、横梁体同士を接続する梁側連結部材と、梁側連結部材と着脱可能であって、柱状体を接続する柱側連結部材と、を備え、梁側連結部材は、横梁体と該梁側連結部材とを接続する第一接続部と、該梁側連結部材と柱側連結部材とを固定する第一固定部材によって、該梁側連結部材と該柱側連結部材の外側から、該梁側連結部材と該柱側連結部材とを接続する第二接続部と、を有し、柱側連結部材は、梁側連結部材の第二接続部と該柱側連結部材とを接続する第三接続部と、柱状体と該柱側連結部材とを接続する第四接続部と、を有する。【０００４】
また、特許文献３には、横梁体を天井から吊り下げる吊装置が開示されている。この吊装置は、軸芯方向に沿って延びる溝部であって、該軸芯方向と直交する断面において該溝部内の空間よりも狭い開口部を有する溝部を持つ梁部材を、天井スラブから吊り下げる吊装置であって、第一軸部と、前記第一軸部の基端側に設けられ、前記天井スラブと接続する第一接続部と、前記第一軸部の先端側に設けられ、前記開口部から前記溝部内に挿入することで、前記溝部内のうち、前記開口部を基線とする一方側の溝部内と接触して前記梁部材を支持する第一支持部と、を有する第一吊部材と、前記第一吊部材と着脱できる第二吊部材であって、前記第一吊部材の軸部と接する第二軸部と、前記第二軸部の先端側に設けられ、前記開口部から前記溝部内に挿入することで、前記溝部内のうち、前記開口部を基線とする他方側の溝部内と接触して前記梁部材を支持する第二支持部と、を有する第二吊部材と、を備える。また、特許文献４には、ビームの側面にブレス（副木）を取り付ける金具が開示されている。
【先行技術文献】
【特許文献】
【０００５】
【特許文献１】国際公開第０７／０５５０３９号パンフレット
【特許文献２】特開２００９−１６１９５８号公報
【特許文献３】特許第４８５９８０２号公報
【特許文献４】意匠登録第１２７３７４８号公報
【発明の概要】
【発明が解決しようとする課題】
【０００６】
柱状体と横梁体とを結合して空間を構築する技術や、横梁体同士を結合して天井から吊り下げ空間の一部を構築する技術が存在する。これらの技術では、より施工性及び強度性に優れた技術開発が望まれている。一方で、梁（横梁体）の側面にブレースを取り付ける金具が存在する。但し、梁の側面にブレースを取り付けると、構築される空間側にブレースが位置するため、機器（照明やプロジェクタなど）の設置個所が制限されるおそれがあった。また、構築される空間側にブレースが位置すると、空間の美観を損なうおそれがあった。【０００７】
本発明は、上記の問題に鑑み、強度性に優れ、かつ、構築される空間の設計自由度が高い技術を提供することを課題とする。
【課題を解決するための手段】
【０００８】
本発明は、上述した課題を解決するため、柱状体と横梁体とによって構成される空間構造体の上に水平ブレースを設けることとした。水平ブレースは、横梁体の上側の溝部と、横梁体同士を結合する梁の結合部材の上部とのうち、少なくとも何れか一方に固定することとした。【０００９】
より詳細には、本発明は、水平方向に延びる横梁体と、当該横梁体同士を結合する梁の結合部材とを含む構造体における水平ブレース構造であって、前記横梁体よりも上に設けられた水平ブレースを備え、前記水平ブレースは、前記梁の結合部材の上部と、前記横梁体の上側の溝部と、のうち少なくとも何れか一方に接続される。【００１０】
本発明に係る水平ブレース構造によれば、横梁体同士が結合されることで構築される構造体の強度を向上することができる。また、接続される水平ブレースは、横梁体よりも上に位置し、構築される空間の外側に水平ブレースが位置するため、機器（照明やプロジェクタなど）の設置個所が制限されることもない。したがって、構築される空間の設計自由度をより高めることができる。また、構築される空間の外側に水平ブレースが位置するため、構築される空間の美観を損なうこともないため、意匠性も向上する。【００１１】
本発明に係る水平ブレース構造は、横梁体同士を結合して構成される構造体に用いることができる。このような構造体は、天井から吊ることで空間の一部を形成することができる。また、本発明に係る梁の結合部材は、柱状体と横梁体とが結合されることで構築される構造体（空間構造体）にも用いることができる。この場合、柱状体の端部のうち、横梁体側の端部には柱の結合部材が接続自在である。また、梁の結合部材は、柱状体が接続された柱の結合部材と着脱自在であり、梁の結合部材と柱の結合部材とを接続することで、横梁体と柱状体とが結合された構造体を構築することが可能となる。【００１２】
前記水平ブレース構造は、前記梁の結合部材の上部に接続される水平ブレースの支持部材Ａと、前記横梁体の上側の溝部に接続される水平ブレースの支持部材Ｂと、のうち少なくとも何れか一方を更に備え、前記水平ブレース支持部材Ａは、前記梁の結合部材の上部に接続される基部Ａと、前記基部Ａから立ち上げられた軸部Ａと、前記軸部Ａの先端に設けられ、前記水平ブレースの端部が接続されるブレース受部Ａとを有し、前記水平ブレースの支持部材Ｂは、前記横梁体の上側の溝部に挿入される基部Ｂと、前記基部Ｂから立ち上げられた軸部Ｂと、前記軸部Ｂの先端に設けられ、前記水平ブレースの端部が接続されるブレース受部Ｂとを有する構造としてもよい。【００１３】
接続先に応じた２種類の水平ブレースの支持部材Ａ，Ｂを備えることで、より確実に、横梁体の上に水平ブレースの支持部材を接続することができる。その結果、構造体の強度をより向上することができる。また、水平ブレースの支持部材Ｂは、基部Ｂが軸方向に延びる溝部の任意の位置で固定できるため、横梁体の配置に合わせた補強が可能となる。【００１４】
また、本発明に係る水平ブレース構造は、前記水平ブレースの端部に接続される水平ブレースの接続部材を更に備え、前記水平ブレースの接続部材は、前記ブレース受部Ａ又は前記ブレース受部Ｂへの固定向きを変更することで、交差する水平ブレースの高さ位置を変更自在としてもよい。【００１５】
例えば、交差する一対の水平ブレースのうちの一方の水平ブレースの両端に接続されるブレースの接続部材の第一面を上側にしてブレースの接続部材を水平ブレースの支持部材Ａ又は水平ブレースの支持部材Ｂへ接続し、他方の水平ブレースの両端に接続されるブレースの接続部材の第一面を下側にしてブレースの接続部材をブレースの支持部材Ａ又はブレースの支持部材Ｂへ接続する。これにより、一方の水平ブレースの接続高さが他方の水平ブレースの接続高さよりも、少なくとも水平ブレースの外径寸法だけ高くなる。その結果、水平ブレース同士の接触を抑制することができる。【００１６】
ここで、前記梁の結合部材は、水平方向に延びる横梁体同士を結合する梁の結合部材であって、前記横梁体の端部が接続される、当該梁の結合部材の側面に設けられた第一接続部を備え、前記第一接続部は、前記横梁体の端部に接続された固定部材の軸部と当該軸部の先端に連なる頭部とを含む固定部材が挿入される貫通孔と、前記貫通孔の近傍に設けられ、前記横梁体の溝部と嵌合して当該横梁体の移動を規制する突出部とを含むものでもよい。【００１７】
上記梁の結合部材では、横梁体の端部に固定された固定部材を貫通孔に挿入することで、容易に横梁体と梁の結合部材とを接続することができる。その結果、横梁体同士を容易に結合することができる。また、貫通孔の近傍に横梁体の溝部と嵌合する突出部を備えることで、横梁体の移動を規制することができ、横梁体によって構成される構造体の強度をより向上することができる。溝部は、内部にアクセスするための開口部を端部に有していればよく、側面視においては閉じられた空間でもよく、また、開口部が内部よりも狭いような半閉空間でもよい。例えば、横梁体の溝部は、横梁体の端部に設けられた孔とすることができる。この孔は、底のある孔でもよく、また、横梁体の軸方向において貫通する貫通孔でもよい。また、横梁体の溝部は、横梁体の軸方向に沿って延び、且つ該横梁体の横断面において開口部を有する半閉空間である溝部とすることができる。【００１８】
前記貫通孔は、前記軸部よりも外形が大きい前記頭部が通過自在な第一領域と、当該第一領域の下に連なり、前記固定部材のうち前記軸部のみが通過自在な第二領域とを含むようにしてもよい。【００１９】
第一領域は、換言すると梁の結合部材と横梁体とを接続する際に使用する領域であり、第二領域は、換言すると梁の結合部材と横梁体とを固定した状態で使用する領域である。固定した状態で使用する第二領域が下側に配置された構成では、重力に逆らって横梁体を上方に移動させない限り、固定部材が貫通孔から抜けることはない。そのため、仮に第一領域と第二領域との位置関係を逆にした場合と比較して、より確実に固定状態を維持することができる。【００２０】
柱状体は、軸心方向において該軸心方向に沿って延び且つ該柱状体の断面において開口部を有する半閉空間である柱状体溝部を有するものとすることができる。なお、柱状体と横梁体との結合は、柱状体の有する柱状体溝部又は横梁体の有する横梁体溝部の何れかの内部をその軸心方向の任意の位置に移動可能且つ該位置に固定可能な結合手段で結合してもよい。このような結合手段は、柱状体溝部又は横梁体溝部の開口部を介して柱状体又は横梁体と結合することができる。【００２１】
ここで、本発明は、水平ブレースの支持部材として特定してもよい。例えば、本発明は、水平方向に延びる横梁体と、当該横梁体同士を結合する梁の結合部材とを含む構造体における水平ブレースを支持する水平ブレースの支持部材Ａであって、前記梁の結合部材の上部に接続される基部Ａと、前記基部Ａから立ち上げられた軸部Ａと、前記軸部Ａの先端に設けられ、前記水平ブレースの端部が接続されるブレース受部Ａと、を有する。【００２２】
また、本発明は、水平方向に延びる横梁体と、当該横梁体同士を結合する梁の結合部材とを含む構造体における水平ブレースを支持する水平ブレースの支持部材Ｂであって、前記横梁体の上側の溝部に挿入される基部Ｂと、前記基部Ｂから立ち上げられた軸部Ｂと、前記軸部Ｂの先端に設けられ、前記水平ブレースの端部が接続されるブレース受部Ｂと、を有する。【００２３】
また、本発明は、水平ブレースの接続部材として特定することもできる。例えば、本発明は、水平方向に延びる横梁体と、当該横梁体同士を結合する梁の結合部材とを含む構造体における水平ブレースの端部に接続される水平ブレースの接続部材であって、前記水平ブレースの接続部材は、前記ブレース受部Ａ又は前記ブレース受部Ｂへの固定向きを変更することで、交差する水平ブレースの高さ位置を変更自在である。
【発明の効果】
【００２４】
本発明によれば、強度性に優れ、かつ、構築される空間の設計自由度が高い技術を提供することができる。
【図面の簡単な説明】
【００２５】
【図１】図１は、第一実施形態に係る構造体の斜視図を示す。
【図２】図２は、第一実施形態に係る構造体のコーナー部分の拡大分解斜視図を示す。
【図３】図３は、第一実施形態に係る構造体のコーナー部分の拡大斜視図を示す。
【図４】図４は、第一実施形態に係るビームの断面図を示す。
【図５】図５は、第一実施形態に係る梁の結合部材の上方から見た斜視図を示す。
【図６】図６は、第一実施形態に係る梁の結合部材の下方から見た斜視図を示す。
【図７】図７は、第一実施形態に係る梁の結合部材の上面図を示す。
【図８】図８は、第一実施形態に係る梁の結合部材の下面図を示す。
【図９】図９は、第一実施形態に係る支持部材Ａの上方から見た斜視図を示す。
【図１０】図１０は、第一実施形態に係る支持部材Ａの下方から見た斜視図を示す。
【図１１】図１１は、第一実施形態に係る水平ブレースの接続部材の斜視図を示す。
【図１２】図１２は、図１１に示す水平ブレースの接続部材のＡ−Ａ断面図を示す。
【図１３】図１３は、第一実施形態に係る水平ブレースの調整部材の斜視図を示す。
【図１４】図１４は、図１３に示す水平ブレースの調整部材のＡ−Ａ断面図を示す。
【図１５】図１５は、第一実施形態に係る吊装置を示す。
【図１６】図１６は、第一実施形態に係る吊装置の正面図を示す。
【図１７】図１７は、第一実施形態に係る吊装置の側面図を示す。
【図１８】図１８は、第二実施形態に係る構造体の斜視図を示す。
【図１９】図１９は、第二実施形態に係る構造体のＴ字部分の拡大分解斜視図を示す。
【図２０】図２０は、第二実施形態に係る構造体のＴ字部分の拡大斜視図を示す。
【図２１】図２１は、第二実施形態に係る支持部材Ｂの上方から見た斜視図を示す。
【図２２】図２２は、第二実施形態に係る支持部材Ｂの下方から見た斜視図を示す。
【図２３】図２３は、第二実施形態に係る支持部材Ｂをビームに接続した状態を示す。
【図２４】図２４は、第二実施形態に係るスライド連結装置の斜視図を示す。
【図２５】図２５は、第三実施形態に係る構造体の斜視図を示す。
【図２６】図２６は、第三実施形態に係る構造体のコーナー部分の拡大分解斜視図を示す。
【図２７】図２７は、第三実施形態に係る柱の結合部材の上方から見た斜視図を示す。
【図２８】図２８は、第三実施形態に係る柱の結合部材の下方から見た斜視図を示す。
【発明を実施するための形態】
【００２６】
次に、本発明に係る実施形態について図面に基づいて説明する。なお、以下で説明する実施形態は本発明を実施するための例示であり、本発明は以下で説明する態様に限定されない。
【００２７】
＜第一実施形態＞
第一実施形態では、ビーム（本発明の横梁体に相当する。）１を梁の結合部材２で互いに結合して構造体３を構築し、この構造体３を構成するビーム１よりも上に水平ブレース４を設置し、構造体３は吊装置５により天井から吊り下げる態様を例に説明する。
【００２８】
＜＜構成＞＞
図１は、第一実施形態に係る構造体の斜視図を示し、図２は、第一実施形態に係る構造体のコーナー部分の拡大分解斜視図を示し、図３は、第一実施形態に係る構造体のコーナー部分の拡大斜視図を示す。構造体３は、ビーム１、梁の結合部材２、水平ブレース４、水平ブレースの支持部材Ａ（以下、単に支持部材Ａともいう）６を備える。ビーム１が梁の結合部材２で結合されることで、新たな空間の天井の枠が構成されている。枠の上には、水平ブレース４が設置されている。水平ブレース４は、両端部に水平ブレースの接続部材７が設けられている。水平ブレースの接続部材７が梁の結合部材２の上部に接続された水平ブレースの支持部材Ａ６と接続されることで、水平ブレース４とビーム１からなる枠とが接続されている。
【００２９】
＜＜ビーム＞＞
図４は、第一実施形態に係るビームの断面図を示す。ビーム１は、その断面において均等に四分割された形状を有している。ねじ孔からなる中心部１１から四方に放射状に隔壁１２が伸びている。隔壁１２の内部には、中空部が形成されている。中空部は、隔壁１２に沿って延びており、頂点Ｐ側が円形となっておりねじの軸部の挿入が可能である。中心部１１及び中空部は、先に説明した、溝部としての閉ざされた空間の例に相当する。隔壁１２の先端は、ビーム１の断面における正方形の頂点Ｐを形成している。一つの頂点Ｐから隣接する頂点Ｐに向かって、壁面１３が延びている。一の頂点Ｐから延びる壁面１３と、それに隣接する他の頂点Ｐから延びる壁面１３は、両頂点Ｐの中間手前まで伸びており、両者は接触しない。従って、対向する壁面１３、１３同士の間には、開口部１４が形成される。また、一対の壁面１３と隔壁１２と中心部１１とによって、溝部１５が形成されている。これらの開口部１４および溝部１５は、ビーム１の軸芯方向にその全長にわたって伸びている。そして、開口部１４は、溝部１５内の空間よりも狭く形成されている。壁面１３の先端部分である蓋部１６は、溝部１５内から挿入物（例えば、後述する吊装置の支持部）が抜けるのを抑制し、また、支持部によって支持される際の接触部分として機能する。
【００３０】
ビーム１には、更に、ビーム１の断面の各頂点Ｐにおいて、各頂点Ｐからビーム１の外方向に延出し、該頂点Ｐにつながる二つの壁面１３にそれぞれ直交する二つの外壁面１７が設けられている。その結果、一つの頂点Ｐから延出する外壁面１７と、それに隣接する他の頂点Ｐから延出する外壁面１７は対向する。そして、この対向する外壁面１７と、これらとつながる一対の壁面１３とによって、ビーム１の表面上に半閉空間である配線用溝部１８が形成される。この配線用溝部１８には、例えば照明器具のケーブルや情報機器のケーブル等を収納することができる。なお、配線用溝部にはカバーを設けてもよく、これによりデザイン性を向上することができる。
【００３１】
＜＜梁の結合部材＞＞
図５は、第一実施形態に係る梁の結合部材の上方から見た斜視図を示す。図６は、第一実施形態に係る梁の結合部材の下方から見た斜視図を示す。図７は、第一実施形態に係る梁の結合部材の上面図を示す。図８は、第一実施形態に係る梁の結合部材の下面図を示す。
【００３２】
梁の結合部材２は、ビーム１同士を結合する。梁の結合部材２は、上部２１、側部２２、下部２３を備える。梁の結合部材の上部２１は、支持部材Ａ６が接続される。梁の結合部材の上部２１は、上面視において、外形が十字形状であり、その内部が外形よりも小さい十字形状によってくり抜かれている。外側の十字形状と内側の十字形状との間の領域、すなわち上縁部２１１は面状である。この上縁部２１１が支持部材Ａ６の基部Ａ６１と接して、支持部材Ａ６を支持する。上縁部２１１の一部には、他部よりも面積が大きい領域が存在しており、この他部よりも面積が大きい領域には、支持部材Ａ６を接続するねじの軸部を受け入れる梁の結合部材の上部ねじ孔２１２が設けられている。換言すると、まず、梁の結合部材２は、上面視において長方形の外側に突出した突出部２１３が四方に放射状に４つ設けられている。そして、長方形の突出部２１３の対向する２つの短辺のうちの一方の短辺側の上縁部２１１の幅が、他方の短辺側の上縁部２１１よりも大きく形成されている。そして、幅が広い上縁部２１１に梁の結合部材の上部ねじ孔２１２が設けられている。また、上縁部２１１には、上縁部２１１の面よりも上に突出し、かつ、外側に突出した上面視四角形の爪部２１４が４つ設けられている。より詳細には、爪部２１４は、上記長方形の突出部２１３の外側の長辺のほぼ中央に夫々設けられている。この爪部２１４は、支持部材Ａ６の基部６１に設けられた切欠部６１１と係合する。
【００３３】
梁の結合部材２の側部２２には、ビーム１の端部が接続される。梁の結合部材２の側部２２は、４面であり、上述した４つの突出部２１１の側面（内側の面を除く）によって構成されている。各側部２２は、正面視において凡そ縦長の長方形である。各側部２２の下部には、正面視において四角形の切欠部２１５が設けられている。この切欠部２１５には、後述する柱の結合部材８のフランジ部８１が嵌合する。また、各側部２２の上部には、幅方向の中央付近に貫通孔２１６が設けられている。貫通孔２１６は、ビーム１に固定されたねじの頭部側が挿入される。貫通孔２１６は、ねじの軸部よりも外形が大きい頭部が通過自在な第一領域２１６ａと、第一領域２１６ａの下に連なり、ねじの軸部のみが通過自在な第二領域２１６ｂとを含む。貫通孔２１６は、全体として、径の異なる二つの円が縦に連なった形状である。第一領域２１６ａは、換言すると梁の結合部材２とビーム１とを接続する際に使用する領域であり、第二領域２１６ｂは、換言すると梁の結合部材２とビーム１とを接続した状態で使用する領域である。固定した状態で使用する第二領域２１６ｂが下側に配置された構成では、重力に逆らってビーム１を上方に移動させない限り、ねじが貫通孔２１６から抜けることはない。そのため、仮に第一領域２１６ａと第二領域２１６ｂとの位置関係を逆にした場合と比較して、より確実に固定状態を維持することができる。
【００３４】
また、貫通孔２１６の両側には、垂直方向に延びる細長い突出部２１７が設けられている。細長い突出部２１７は、垂直方向の長さがビームの溝部１５の幅と同じか、僅かに短く設計され、ビームの溝部１５と嵌合する。貫通孔２１６にねじの頭部が挿入され、更に、貫通孔２１６の両側に設けられた細長い突出部２１７がビームの溝部１５と嵌合することで、ビーム１の移動を規制することができ、ビーム１によって構成される構造体３の強度をより向上することができる。細長い突出部２１７は、溝部１５に嵌合できればよく、その形状は特に限定されない。また、細長い突出部２１７は、貫通孔２１６の両側のうち一方にのみ設け、より簡易な構成としてもよい。なお、細長い突出部２１７は、例えばビーム１の隔壁１２の内部に形成される中空部と嵌合自在な突出部としてもよい。この場合の突出部は、ビーム１の隔壁１２の内部に形成される中空部の数に合わせて４つとすることができる。但し、数は、これに限定されず、例えば１つでもよい。
【００３５】
梁の結合部材の下部２３には、ポール９が接続された柱の結合部材８が接続自在である。柱の結合部材８については、第三実施形態で説明する。梁の結合部材の下部２３は、下面視において、外形が十字形状であり、その内部が外形よりも小さい十字形状によってくり抜かれている。外側の十字形状の下縁部は、角部が内側に位置する４つのＬ字状の下縁部２３１によって形成されている。外側の十字形状の下縁部と内側の十字形状との間の領域は、下縁部２３１よりも上部側に位置し、内側が上記小さい十字形状がくり抜かれた十字形状の面２３２によって構成されている。十字形状の面２３２のうちの外側に突出する領域、換言すると上記各突出部２１３には、柱の結合部材８と接続した際に固定するねじが貫通するねじ孔２３３が設けられている。Ｌ字状の下縁部２３１は、十字形状の面２３２から垂れ下がる垂れ壁２３４の下端である。したがって、梁の結合部材の下部２３には、垂れ壁２３４と十字形状の面２３２によって構成される凹部が存在しており、この凹部は柱の結合部材８の凸部と嵌合自在である。
【００３６】
＜＜支持部材Ａ＞＞
図９は、第一実施形態に係る支持部材Ａの上方から見た斜視図を示す。図１０は、第一実施形態に係る支持部材Ａの下方から見た斜視図を示す。支持部材Ａ６は、梁の結合部材２の上部２１に接続され、水平ブレース４を支持する。支持部材Ａ６は、基部Ａ６１、軸部Ａ６２、ブレース受部Ａ６３を備える。基部Ａ６１は、梁の結合部材２の上部２１に接続され、軸部Ａ６２及びブレース受部Ａ６３を支持する。基部Ａ６１は、板状であり、梁の結合部材２の上部２１に対応する形状を有している。具体的には、基部Ａ６１は、上面視において十字形状であり、外側に突出した基部Ａの突出部６１２には、梁の結合部材２の爪部２１４が係合する切欠部６１１と、梁の結合部材２の上部ねじ孔２１２と連通してねじが挿入される基部Ａのねじ孔６１３が設けられている。基部Ａ６１は、外側に突出した突出部６１２が長方形であり、外側の長辺の中央付近に切欠部６１１が設けられ、切欠部６１１よりも一方の短辺側であって、上部ねじ孔２１２に対応する位置に基部Ａのねじ孔６１３が設けられている。
【００３７】
軸部Ａ６２は、基部Ａ６１から立ち上げられブレース受部Ａ６３を支持する。軸部Ａ６２は、円柱状であり、ビーム１の外壁面１７の高さよりも長く設計されている。これにより、水平ブレース４は、ビーム１よりも高い位置で、ビーム１と接触することなく支持部材Ａ６によって支持される。軸部Ａ６２は、天井と接触しない範囲内で出来るだけ長くすることで、水平ブレース４の存在を目立たないようにすることができる。軸部Ａ６２は、円柱状の径がビーム１に比べて細く形成され、目立たないように設計されている。軸部Ａ６２は、四角柱など、他の形状でもよい。
【００３８】
ブレース受部Ａ６３は、軸部Ａ６２の先端に設けられ、水平ブレース４の端部が固定される。ブレース受部Ａ６３は、正方形のプレートからなり、４つの角部はＲ形状である。また、４つの角部の内側には、水平ブレース４、より詳細には水平ブレースの接続部材７と接続するねじを固定するブレース受部Ａのねじ孔６３１が夫々設けられている。ブレース受部Ａ６３は、例えば円形のプレートとし、ブレース受部Ａのねじ孔６３１を放射状に複数配置するようにしてもよい。
【００３９】
＜＜水平ブレース＞＞
水平ブレース４は、構造体３の４つの角部に位置する梁の結合部材２に接続され、構造体３を補強する。水平ブレース４は、丸棒からなり、端部にねじ溝が形成され、水平ブレースの接続部材７、又は水平ブレースの調整部材３１が接続自在である。水平ブレース４のねじ溝は、一端が右ねじ、他端が左ねじ（逆ねじ）である。
【００４０】
＜＜水平ブレースの接続部材＞＞
図１１は、第一実施形態に係る水平ブレースの接続部材の斜視図を示す。図１２は、図１１に示す水平ブレースの接続部材のＡ−Ａ断面図を示す。水平ブレースの接続部材７は、水平ブレース４を支持部材Ａ６に接続する。水平ブレースの接続部材７は、全体として丸みを帯びた長方体形状であり、一端には、水平ブレースの接続部材７の軸方向と直交する断面のほぼ中心を通り水平ブレースの接続部材７の軸方向に延び、水平ブレース４の端部に形成されたねじ溝と螺合する接続部材のねじ孔７１が設けられている。また、他端近傍には、水平ブレースの接続部材７の軸方向と直交する方向に延び、水平ブレースの接続部材７を貫通する接続部材の貫通孔７２が設けられている。水平ブレースの接続部材７の他端側には、厚みが他の部分の約３分の２である段差部７３が設けられている。このような段差部７３は、一例であり、段差部７３の厚みは、水平ブレース４を交差させた際に接触しない範囲で、ブレース受部Ａ６３の厚み、支持部材Ａ６の厚み、水平ブレース４の外径に基づいて適宜設計することができる。接続部材の貫通孔７２は、この段差部７３に設けられている。段差部７３の奥行（軸方向の長さ）は、水平ブレースの接続部材７を支持部材Ａのブレース受部Ａ６３に接続した際に、ブレース受部Ａ６３と接触しない長さに設計されている。段差部７３を備えることで、水平ブレースの接続部材７を接続する向きを変更することで水平ブレース４の軸心を偏心させることができる。例えば、交差する一対の水平ブレース４のうちの一方の水平ブレース４の両端に接続される水平ブレースの接続部材７の第一面を上側（図３に示すように、段差部７３が下向きになるよう）にして水平ブレースの接続部材７を水平ブレースの支持部材Ａ６０へ接続し、他方の水平ブレース４の両端に接続される水平ブレースの接続部材７の第一面を下側（図３とは異なり、段差部７３を上向きになるよう）にして水平ブレースの接続部材７を水平ブレースの支持部材Ａ６０へ接続する。これにより、一方の水平ブレース４の接続高さが他方の水平ブレース４の接続高さよりも高くなる。その結果、水平ブレース４同士の接触を抑制することができる。
【００４１】
＜＜水平ブレースの調整部材＞＞
図１３は、第一実施形態に係る水平ブレースの調整部材の斜視図を示す。図１４は、図１３に示す水平ブレースの調整部材のＡ−Ａ断面図を示す。水平ブレースの調整部材３１は、所謂ターンバックルとして機能する。水平ブレースの調整部材３１は、全体として丸みを帯びた長方体形状であり、両端に、調整部材３１の軸方向と直交する断面のほぼ中心を通り軸方向に延び、水平ブレース４の端部に形成されたねじ溝と螺合する調整部材のねじ孔３１１が設けられている。水平ブレースの調整部材３１の対向する両面を貫通する調整部材の貫通孔３１２が２カ所設けられている。調整部材の貫通孔３１２は、調整部材のねじ孔３１１と連通しており、水平ブレース４の端部を調整部材のねじ孔３１１に挿入した際に螺合の状況を確認可能である。また、調整部材の貫通孔３１２は、ねじ孔となっており、ねじを挿入し、ねじの先端と水平ブレース４の側面とを接触させた状態で締め上げることで、水平ブレース４を固定することができる。水平ブレース４と水平ブレースの調整部材３１とを水平ブレース４を軸として相対的に回転させて水平ブレースの調整部材のねじ孔３１１への挿入量を変更することで、水平ブレース４の長さの調整が可能となる。また、水平ブレース４と水平ブレースの接続部材７とを水平ブレース４を軸として相対的に回転させて水平ブレースの接続部材のねじ孔７１への挿入量を変更することで、水平ブレース４の長さを調整することもできる。その結果、水平ブレース４の張力の調整が可能となる。
【００４２】
＜＜吊装置＞＞
図１５は、第一実施形態に係る吊装置を示す。図１６は、第一実施形態に係る吊装置の正面図を示す。図１７は、第一実施形態に係る吊装置の側面図を示す。吊装置８０は、一つの吊部材８０１と、固定部材としてのナット３０１によって構成されている。吊部材８０１は、第三軸部８２１と、第三軸部８２１の基端側（天井側）に設けられ、吊ボルト２０１と接続される第三接続部８１１と、第三軸部８２１の先端側（ビーム１側）に設けられ、ビーム１の溝部１５内に挿入されてビーム１を支持する第三支持部８３１ａ、８３１ｂと、によって構成されている。
【００４３】
第三軸部８２１は、細長状の平板部材によって形成されている。第三軸部８２１も基本的には直線状である。そして、この直線状の部分（下部から中部）は、第三軸部８２１の軸芯が、吊ボルト２０１の軸芯とほぼ一致しており、安定的にビーム１を支持できるよう構成されている。第三軸部８２１の上部は、ナット３０１と接触しないように外側に折り曲げられて形成されている。
【００４４】
第三接続部８１１は、垂直な第三軸部８２１の基端側の一部がほぼ直角に折り曲げられることで形成されている。そして、この第三接続部８１１には、吊ボルト２０１を挿入するための挿入孔が設けられており、挿入孔は、その一部が開放されたＵ字状に形成されている（図示せず）。一方、第三接続部８１１には、端部に折り返し部８１１ｂが設けられている。折り返し部８１１ｂは、第三軸部８２１をほぼ平行になるように第三接続部８１１の端部が垂直方向下向きに折り返されることで形成されている。更に、第三接続部８１１には、前記折り返し部８１１ｂが設けられている端部と隣接する端部に第二の折り返し部８１１ｃが設けられている。これらの折り返し部８１１ｂ、８１１ｃは、吊部材８０１の水平方向の動きを規制する。従って、吊装置８０によれば、吊部材８０１が二つの折り返し部８１１ｂ、８１１ｃを有することで吊部材８０１が吊ボルト２０１から抜け落ちるのを抑制することができる。
【００４５】
第三軸部８２１の基端側には、第三軸部８２１の基端側の一部がほぼ直角に折り曲げられることで水平に形成された第三支持部８３１ａ、８３１ｂが設けられている。但し、この第三支持部８３１ａ、８３１ｂは、幅方向のほぼ中央付近で分割され、夫々が相反する方向に折り曲げられることで形成された二つの支持部によって構成されている。一方の第三支持部８３１ａは、上述したビーム１の溝部１５内へ開口部１４から挿入され、一方側（図１５における紙面左側）の蓋部１６と接触してビーム１を支持する。他方の第三支持部８３１ｂは、上述したビーム１の溝部１５内へ開口部１４から挿入され、他方側（図１５における紙面右側）の蓋部１６と接触してビーム１を支持する。なお、吊装置８０を用いてビーム１を吊り下げる場合、吊装置８０をビーム１の端部から予め挿入しておき、吊装置８０を所定の吊ボルト２０１に固定すればよい。上記吊装置８０は、一例にすぎず、吊装置には既存の技術を適宜用いることができる。例えば、吊装置を分離可能な二つの吊部材によって構成してもよい。この場合、溝部１５の上方から溝部１５内へ夫々の支持部を挿入することができる。
【００４６】
＜使用方法＞
ビーム１と梁の結合部材２との接続は、ねじを用いて行われる。具体的には、ビーム１の端部中心にあるねじ孔からなる中心部１１にねじを途中まで螺合する。ビーム１の端部から突出するねじの頭部を貫通孔２１６の第一領域２１６ａに通し、下方にスライドさせる。ねじの軸部が第二領域２１６ｂに位置する状態でねじを最後まで締め上げると、ビーム１と梁の結合部材２が固定される。このとき、梁の結合部材２の細長い突出部２１７がビーム１の溝部と嵌合する。ねじで螺合することで、ビーム１の移動は規制されるが、梁の結合部材２の細長い突出部２１７がビーム１の溝部と嵌合することで、ビーム１の移動がより規制される。なお、上述した吊装置８０を用いてビーム１を吊り下げる場合には、吊装置８０をビーム１の端部から予め挿入しておき、吊装置８０を所定の吊ボルト２０１に固定するとよい。
【００４７】
梁の結合部材２と支持部材Ａ６との接続も、ねじを用いて行われる。具体的には、梁の結合部材２の上部２１に支持部材Ａの基部６１を載置する。梁の結合部材２の爪部２１４と切欠部６１１とを係合させ、梁の結合部材２の上部ねじ孔２１２と基部Ａのねじ孔６１３とを連通させた状態でねじを基部Ａ６１側から挿入して螺合する。これにより、支持部材Ａ６が梁の結合部材２に固定される。
【００４８】
支持部材Ａ６と水平ブレース４との接続も、ねじを用いて行われる。具体的には、交差する一対の水平ブレース４のうちの一方の水平ブレース４の両端に接続される水平ブレースの接続部材７の第一面を上側（図３に示すように、段差部７３が下向きになるよう）にして水平ブレースの接続部材７を水平ブレースの支持部材Ａ６へねじで固定する。また、他方の水平ブレース４の両端に接続される水平ブレースの接続部材７の第一面を下側（図３とは異なり、段差部７３を上向きになるよう）にして水平ブレースの接続部材７を水平ブレースの支持部材Ａ６へ固定する。これにより、段差部７３が下向きになるように接続した水平ブレース４の接続高さが、段差部７３が上向きになるように接続した水平ブレース４の接続高さよりも高くなる。その結果、水平ブレース同士の接触を抑制することができる。なお、水平ブレース４は、水平ブレース４と、水平ブレースの調整部材３１又は水平ブレースの接続部材７とを相対的に回転させることで、水平ブレース４の張力の調整が可能となる。
【００４９】
＜＜効果＞＞
第一実施形態に係る構造体３によれば、水平ブレース４を備えることで構造体３の強度を向上することができる。また、水平ブレース４は、ビーム１よりも上に位置し、構築される空間の外側に水平ブレース４が位置するため、機器（照明やプロジェクタなど）の設置個所が制限されることもない。したがって、構築される空間の設計自由度をより高めることができる。また、構築される空間の外側に水平ブレース４が位置するため、構築される空間の美観を損なうこともないため、意匠性も向上する。
【００５０】
また、第一実施形態に係る梁の結合部材２では、ビーム１の端部に固定されたねじを梁の結合部材２の貫通孔２１６に挿入してねじを締めるだけで、容易に横梁体と梁の結合部材２とを接続することができる。その結果、ビーム１同士を容易に結合することができる。また、梁の結合部材２は、貫通孔２１６の両側にビーム１の溝部１５と嵌合する細長い突出部２１７を備えることで、ビーム１の移動を規制することができる。その結果、ビーム１を結合することで構築される構造体３の強度をより向上することができる。また、貫通孔２１６は、ねじの軸部よりも外形が大きい頭部が通過自在な第一領域２１６ａと、第一領域２１６ａの下に連なり、ねじの軸部のみが通過自在な第二領域２１６ｂを備える。そのため、重力に逆らってビーム１を上方に移動させない限り、ねじが貫通孔２１６から抜けることはない。そのため、仮に第一領域２１６ａと第二領域２１６ｂとの位置関係を逆にした場合と比較して、より確実に固定状態を維持することができる。
【００５１】
＜第二実施形態＞
図１８は、第二実施形態に係る構造体の斜視図を示す。図１９は、第二実施形態に係る構造体のＴ字部分の拡大分解斜視図を示す。図２０は、第二実施形態に係る構造体のＴ字部分の拡大斜視図を示す。第二実施形態に係る構造体３は、長手方向の中心付近にビーム１が接続され、Ｔ字部分が存在している。そして、水平ブレース４は、コーナー部分とＴ字部分を跨ぐように設置されている。また、Ｔ字部分のビーム１には、水平ブレースの支持部材Ｂ４０が接続されており、支持部材Ｂ４０によって水平ブレース４が支持されている。第一実施形態と同様の構成については同一符号を付すことで説明は割愛する。
【００５２】
Ｔ字部分は、ビーム１の側面にビーム１の端部が接続されることで形成されている。ビーム１の側面とビーム１の端部との接続には、既存の技術を適宜用いることができるため説明は割愛する。既存の技術には、例えば、特許文献１（国際公開第０７／０５５０３９号パンフレット）に記載の連結手段が挙げられる。
【００５３】
＜＜支持部材Ｂ＞＞
図２１は、第二実施形態に係る支持部材Ｂの上方から見た斜視図を示す。図２２は、第二実施形態に係る支持部材Ｂの下方から見た斜視図を示す。図２３は、第二実施形態に係る支持部材Ｂをビームに接続した状態を示す。支持部材Ｂ４０は、ビーム１の溝部１５に接続され、水平ブレース４を支持する。支持部材Ｂ４０は、基部Ｂ４１、軸部Ｂ６２、ブレース受部Ｂ６３を備える。基部Ｂ４１は、長方形の板状であり、ビーム１の溝部１５をスライド自在である。基部Ｂ４１には、基部Ｂのねじ孔４１１が設けられており、溝部１５内をスライド自在なスライド連結装置７００のねじ孔７０２と位置合わせをしてねじを螺合することで、支持部材Ｂ４０をビーム１に固定することが可能となる。
【００５４】
＜＜スライド連結装置＞＞
ここで、図２４は、第二実施形態に係るスライド連結装置の斜視図を示す。スライド連結装置７００は、ベース部材７０１と、補助部材７１０とによって構成される。ベース部材７０１は、平面視において四角形であり、中央にネジ孔７０２が設けられている。ベース部材７０１の表面（溝部１５の開口部１４側の面）の端部（溝部１５の幅方向の両端部）には、溝部１５の長手方向に沿って、表面よりも一段低く形成された段付き部７０３が設けられている。二つのこの段付き部７０３の間隔は、ビーム１の開口部１４の幅より若干小さく設計されている。各段付き部７０３には、開口部１４を形成する蓋部１６が係合する。これにより、ベース部材７０１が溝部１５内において溝部１５の幅方向へ移動するのが規制される。また、ベース部材７０１の裏面（溝部１５の奥側の面）の端部（溝部１５の幅方向の両端部）は、奥に向かって幅が狭くなる溝の形状と合うように面取り７０４がされている。
【００５５】
補助部材７１０は、溝部１５内でベース部材７０１を載置する本体部７１１と、本体部７１１の端部から伸びる２本の腕部７１２を備える。補助部材７１０は、可撓性を有する板状の樹脂によって構成され、本体部７１１と腕部７１２は一体的に形成されている。本体部７１１は、溝部１５の奥側に突出するように湾曲している。本体部７１１は、ベース部材７０１を載置できるよう、面積がベース部材７０１の表面積よりも大きく設計されている。本体部７１１の中央部、換言するとベース部材７０１のネジ孔７０２に対応する位置には、ネジ７５０が貫通する本体部のネジ孔７１３が設けられている。ネジ孔７１３は、複数設けてもよい。また、本体部７１１の一辺には周囲よりも開口部１４側に厚く形成された肉厚部が設けられている。この肉厚部は、載置されるベース部材７０１の溝の幅方向への移動を規制すると共に、補助部材７１０を溝部２４に取り付ける（収容する）際、補助部材７１０を押す領域として機能する。この肉厚部を押すことで、補助部材７１０を溝部２４に容易に取り付けることができる。また、肉厚部は、腕部７１２を摘まんで溝部１５から補助部材７１０を取り出す際に、支点としても機能する。つまり、肉厚部が溝部１５の内壁面と接して支点となり、腕部７１２を摘まんで溝部１５から引き出すと、補助部材７１０の本体部７１１が溝部１５から取り出される。
【００５６】
また、本体部７１１は、肉厚部と他片の折曲部が溝部１５の内壁と接触し、溝部１５の幅の外側に向けて、溝部１５の内壁を夫々付勢する。これにより、補助部材７１０は、溝部１５内で仮固定される。より具体的には、本体部７１１がベース部材７０１を載置しない状態（補助部材７１０のみが溝部１５内に収容された状態）では、肉厚部と折曲部が溝部１５の内壁のうち、溝部１５の幅が一定の領域（垂直面）を、溝部１５の幅の外側に向けて、溝部１５の内壁を夫々付勢する。また、本体部７１１がベース部材７０１を載置した状態（補助部材７１０とベース部材７０１の双方が溝部１５内に収容された状態）では、肉厚部と折曲部が溝部１５の内壁のうち、溝部１５の幅が徐々に狭くなる領域（斜面）を、溝部１５の幅の外側に向けて、溝部１５の内壁を夫々付勢する。なお、本体部７１１がベース部材７０１を載置した状態では、付勢する力の一部は、斜面に沿って溝部１５の奥側にも発生することになる。
【００５７】
また、本体部７１１は、一辺側の長さが他辺側よりも短く形成されている。詳細には、本体部７１１では、溝部１５の幅方向の中心を通る溝部１５の長手方向と平行な仮想中心線よりも一辺側の長さは、仮想中心線よりも他辺側の長さよりも、腕部７１２の２本分短く形成されている。換言すると、本体部７１１の一辺側は、溝部１５の長手方向の両側が切り欠かれている。このように一部に切欠きが形成されることで、付勢力が調整されている。
【００５８】
腕部７１２は、肉厚部と反対側の他辺の両端部に設けられた折曲部を介して、２か所設けられている。腕部７１２は、溝部１５の奥側に突出するように湾曲している。また、腕部７１２の先端部には、本体部７１１側に膨らんだ腕部の肉厚部が設けられている。腕部の肉厚部は、開口部１４から露出している。これにより、腕部の肉厚部を摘まむことで、スライド連結装置７００を溝部１５から容易に取り出すことができる。また、本体部７１１に載置されたベース部材７０１は、溝部１５の長手方向の両側が２つの腕部７１２に挟まれており、溝部１５の長手方向の移動が規制される。また、溝部１５の幅方向の移動は、各段付き部７０３と開口部１４を形成する蓋部１６とが係合することで、規制される。また、溝部１５の奥方向の移動は、ベース部材７０１と開口部１４とにより、規制される。
【００５９】
折曲部７１４近傍における本体部７１１と腕部７１２との間には、空間が形成されている。この空間が形成されることで、腕部７１２が本体部７１１側に十分に撓むことができる。その結果、補助部材７１０を溝部１５から容易に取り出すことができる。補助部材７１０の材質、厚み、本体部７１１の面積、本体部のネジ孔７０２の径、腕部７１２の厚み、幅などを適宜調整することで、付勢力を変更することができる。
【００６０】
スライド連結装置７００を溝部１５へ取り付け、又は取り外す場合、ビーム１の端部から取り付け、又は取り外すことができる。また、スライド連結装置７００をビーム１の溝部１５の開口部１４から取り付け、取り外してもよい。
【００６１】
＜＜効果＞＞
第二実施形態に係る構造体３によれば、第一実施形態に係る構造体３の効果に加えて、支持部材Ｂ４０がビーム１が軸方向に延びる溝部１５の任意の位置で固定できるため、ビーム１の配置に合わせた補強が可能となる。したがって、構造体の強度を向上しつつ、構造体３の設計の自由度を向上することができる。
【００６２】
＜第三実施形態＞
図２５は、第三実施形態に係る構造体の斜視図を示す。図２６は、第三実施形態に係る構造体のコーナー部分の拡大分解斜視図を示す。図２７は、第三実施形態に係る柱の結合部材の上方から見た斜視図を示す。図２８は、第三実施形態に係る柱の結合部材の下方から見た斜視図を示す。第三実施形態に係る構造体３は、垂直方向に延びるポール９を備え、ビーム１がポール９によって支持されている。ポール９の上端部には柱の結合部材８が接続されており、柱の結合部材８と梁の結合部材２とが接続されることで、ポール９とビーム１を含む構造体３が構築されている。上述した実施形態と同様の構成については同一符号を付すことで説明は割愛する。
【００６３】
＜＜ポール＞＞
ポール９もビーム１と同じくその断面において均等に四分割された形状を有している。ねじ孔からなる中心部９１から四方に放射状に隔壁９２が伸び、隔壁９２の先端は、ポール９の断面における正方形の頂点Ｐを形成している。一つの頂点Ｐから隣接する頂点Ｐに向かって、壁面９３が延びている。一の頂点Ｐから延びる壁面９３と、それに隣接する他の頂点Ｐから延びる壁面９３は、両頂点Ｐの中間手前まで伸びており、両者は接触しない。従って、対向する壁面９３、９３同士の間には、開口部９４が形成される。また、一対の壁面９３と隔壁９２と中心部９１とによって、溝部９５が形成されている。これらの開口部９４および溝部９５は、ポール９の軸芯方向にその全長にわたって伸びている。そして、開口部９４は、溝部９５内の空間よりも狭く形成されている。壁面９３の先端部分である蓋部９６は、溝部９５内へ挿入物が抜けるのを抑制し、また、支持される際の接触部分として機能する。
【００６４】
なお、ポール９は、ビーム１の外壁面１７に相当する外壁面９７が４方向に存在する。そして、対向する外壁面９７と、これらとつながる一対の壁面９３とによって、ポール９の表面上に半閉空間である配線用溝部９８が形成される。この配線用溝部９８には、例えば照明器具のケーブルや情報機器のケーブル等を収納することができる。なお、配線用溝部にはカバーを設けてもよく、これによりデザイン性を向上することができる。
【００６５】
＜＜柱の結合部材＞＞
図２７は、第三実施形態に係る柱の結合部材の上方から見た斜視図を示す。図２８は、第三実施形態に係る柱の結合部材の下方から見た斜視図を示す。柱の結合部材８は、ポール９の上端部に接続され、更に柱の結合部材８と接続される。柱の結合部材８は、上部８１、側部８２、下部８３を備える。柱の結合部材の上部８１は、梁の結合部材２が接続される。柱の結合部材の上部８１は、上面視において、外形が十字形状であり、その内部が凡そ四角形にくり抜かれている。外側の十字形状と内側の四角形との間の領域、すなわち柱の結合部材の上縁部８１ａは面状である。この柱の結合装置の上縁部８１ａが梁の結合部材２の下部に設けられた十字形状の面２３２と接して、梁の結合部材２を支持する。また、この柱の結合装置の上縁部８１ａには、側面視において外側に突出したフランジ部８１ｂが存在している。そしてこのフランジ部８１ｂには、内側の四角形の各辺と接し、かつ上方に突出した柱の結合部材の突出部８１ｂ１が設けられている。柱の結合部材の突出部８１ｂ１は、上面視において四角形であり、梁の結合部材２の下部に設けられた十字形状の面２３２の内側にある十字形状のくり抜かれた部分と嵌合する。また、柱の結合部材の突出部８１ｂ１の外側には、梁の結合部材２を接続するねじの軸部を受け入れる柱の結合部材の上部ねじ孔８１ｂ２が設けられている。更に、フランジ部８１ｂは、梁の結合部材の側部２２の下部に設けられた四角形の切欠部２１５と嵌合する。
【００６６】
柱の結合部材８の側部８２は４面であり、各側部８２は、正面視において上側に突出した凸形状である。換言すると、各側部８２の上部側の角部が切り欠かれており、各角部には柱の結合部材の段差部８２ａが設けられている。柱の結合部材の段差部８２ａには、梁の結合部材の下部にあるＬ字状の下縁部２３１が接する。柱の結合部材の段差部８２ａより上部は、梁の結合部材の下部２３に形成された、垂れ壁２３４と十字形状の面２３２によって構成される凹部に収容される。つまり、柱の結合部材のフランジ部８１から段差部８２ａまでが柱の結合部材８の凸部として機能する。その結果、梁の結合部材２の凹部と柱の結合部材８の凸部が嵌合し、梁の結合部材２の凹部と柱の結合部材８の凸部との水平方向における相対移動が規制される。一方、垂直方向における相対移動は、梁の結合部材２と柱の結合部材８とをねじで固定することで規制される。具体的には、梁の結合部材２の凹部と柱の結合部材８の凸部が嵌合した状態では、梁の結合部材２の下部２３に存在する十字形状の面２３２に設けられたねじ孔と柱の結合部材８のフランジ部８１ｂのねじ孔とを連通する。この状態でねじで固定することで、垂直方向における相対移動が規制される。
【００６７】
柱の結合部材８の下部８３には、ポール９が接続自在である。柱の結合部材の下部８３は、下面視において、外形が凡そ正方形である。４つの角部近傍には、下側に突出し下面視において円形のボタン８３ａが設けられており、ポール９の端部に存在する隔壁１２に形成された凹部と嵌合する。これにより、柱の結合部材８とポール９との水平方向における相対移動が規制される。また、ねじ孔からなる中心部１１と柱の結合部材の下部８３の中央にあるねじ孔８３ｂとを連通する。この状態でねじで固定することで、垂直方向における相対移動が規制される。
【００６８】
＜＜効果＞＞
第三実施形態に係る構造体３によれば、ポール９とビーム１によって構成される構造体３の強度を向上することができる。また、水平ブレース４は、ビーム１よりも上に位置し、構築される空間の外側に水平ブレース４が位置するため、機器（照明やプロジェクタなど）の設置個所が制限されることもない。したがって、構築される空間の設計自由度をより高めることができる。また、構築される空間の外側に水平ブレース４が位置するため、構築される空間の美観を損なうこともないため、意匠性も向上する。
【００６９】
以上、本発明に係る好適な実施形態について説明したが、実施形態の構成は適宜組み合わせることができる。
【符号の説明】
【００７０】
１・・・ビーム
２・・・梁の結合部材
３・・・構造体
４・・・水平ブレース
５・・・吊装置
６・・・水平ブレースの支持部材Ａ
７・・・水平ブレース接続部材
８・・・柱の結合部材
９・・・ポール
３１・・・水平ブレースの調整部材
４０・・・水平ブレースの支持部材Ｂ
【図１】
2014132449.tif 000003
【図２】
2014132449.tif 000004
【図３】
2014132449.tif 000005
【図４】
2014132449.tif 000006
【図５】
2014132449.tif 000007
【図６】
2014132449.tif 000008
【図７】
2014132449.tif 000009
【図８】
2014132449.tif 000010
【図９】
2014132449.tif 000011
【図１０】
2014132449.tif 000012
【図１１】
2014132449.tif 000013
【図１２】
2014132449.tif 000014
【図１３】
2014132449.tif 000015
【図１４】
2014132449.tif 000016
【図１５】
2014132449.tif 000017
【図１６】
2014132449.tif 000018
【図１７】
2014132449.tif 000019
【図１８】
2014132449.tif 000020
【図１９】
2014132449.tif 000021
【図２０】
2014132449.tif 000022
【図２１】
2014132449.tif 000023
【図２２】
2014132449.tif 000024
【図２３】
2014132449.tif 000025
【図２４】
2014132449.tif 000026
【図２５】
2014132449.tif 000027
【図２６】
2014132449.tif 000028
【図２７】
2014132449.tif 000029
【図２８】
2014132449.tif 000030
【国際調査報告】
2014132449.tif 000031
2014132449.tif 000032
2014132449.tif 000033
2014132449.tif 000034